(57)【要約】      （修正有）【課題】現時点市販されているゴミ容器は小売店で買い物を収納するために手渡される持ち手有するビニール袋をリサイクルが出来ないかと思いゴミ箱のなかに入れて見たが袋の大きさによって落ち込んだりまたゴミが溜まるに連れて投入口が狭くなってしまいゴミ箱とビニール袋の間にゴミが入らなくなる問題点がある【解決手段】ゴミ容器は最後まで開口部が閉じないゴミ袋ホルダーサポートの内輪サポート１に４ヶ所の固定サポートを付けるそれによってごみ袋を完全に固定をする。【選択図】図２
0003130050.tif 000002
【実用新案登録請求の範囲】
【請求項１】
このゴミ袋ホルダーサポートは斜視図の＜１＞内輪サポートで４ヶ所の金具類を固定をするサポートである＜３＞ガイド２ヶ所のＬ型ガイドでゴミ箱からホルダーサポートが落下防止を防ぐ＜４＞フック２ヶ所でゴミ袋の持ち手を引っ掛ける＜２＞固定具２ヶ所にゴミ袋の結ぶ所を刺して固定をするそれによってゴミ袋が完全に固定をする事を特徴とする最後まで開口部が閉じないゴミ袋ホルダーサポートである
【考案の詳細な説明】
【技術分野】
【０００１】  本実用新案は室内で利用をする通常のゴミ容器において小売店で買い物を収納するために手渡される持ち手有するビニール袋をゴミ箱の中にゴミ袋として再利用する技術分野である
【背景技術】
【０００２】従来の方法では小売店で買い物を収納するために手渡されるビニール袋の持ち手は２ヶ所でされている
【特許文献】特開７−１４４７０１号公報
【考案の開示】
【考案が解決しようとする課題】
【０００３】現時点市販されているゴミ容器は小売店で買い物を収納するために手渡される持ち手有するビニール袋をリサイクルが出来ないかと思いゴミ箱のなかに入れて見たが袋の大きさによって落ち込んだりまたゴミが溜まるに連れて投入口が狭くなってしまいゴミ箱とビニール袋の間にゴミが入らなくなる問題点がある従来の方法では２ヶ所しか固定をする所が無いのでゴミ袋のゴミが溜まりだすとゴミを入れる投入ぐちが狭くなってしまう
【課題を解決するための手段】固定をする【０００５】本実用新案は上記の課題を解決することを目的としたその構成はゴミ容器の内側の上部に内輪をはめこのホルダーサポートは斜視図の＜１＞内輪サポートで４ヶ所の金具類を固定をするサポートである４ヶ所のこのホルダーサポートは斜視図の＜１＞内輪サポートで４ヶ所の金具類を固定をするサポートである＜３＞４ヶ所のＬ型ガイドでゴミ箱からホルダーサポートが落下防止を防ぐ＜４＞フック２ヶ所でゴミ袋の持ち手を引っ掛ける＜２＞固定具２ヶ所にゴミ袋の結ぶ所を刺して固定をするそれによってゴミ袋が完全に固定をする
【考案の効果】
【０００６】ゴミ容器にホルダーサポートを取り付けこの固定金具２ヶ所フック２ヶ所を装備することにより大小様々な持ち手つきビニール袋をゴミ容器の上端に確実に固定ができゴミ容器内にビニール袋を装入することができその結果ゴミ廃棄にあたりビニール袋のみを廃棄をすればゴミ容器は全く汚れることがないゴミ袋ホルダーサポートは取り外しが自由なのでゴミ容器を取り替えることを可能である
【考案を実施するための最良の形態】
【０００７】本実用新案は＜０００８＞のゴミ袋ホルダーサポートをつける事によって従来のゴミ容器が再利用が出来るビニール袋のリサイクルとして設置可能にした注目の商品である【０００８】図１は本実用新案登録願実施例を示しゴミ容器に小売店で買いものを収納するための手渡されるビニール袋をセッテングした状態の斜視図である図１記号２は結ぶようになっているビニール袋をさします記号３は持ち手の所をサポートする記号４に持ち手の所を引っ掛けるそれによってゴミ容器に４ヶ所の固定により最後まで開口部がちじまらなくなりゴミがゴミ容器とビニール袋との間のゴミが入らなくなる現時点所有するゴミ容器に取り付けられる
【図面の簡単な説明】
【００１０】斜視図により＜１＞〜＜６＞の地名でより分かりやすくしていますゴミ箱にセッテングしたものと実用新案登録願本体のを斜視図をしているものです
【図１】最後まで開口部が閉じないゴミ袋ホルダーサポートの斜視図
【図２】最後まで開口部が閉じないゴミ袋ホルダーサポートの拡大図
【符号の説明】
【００１１】＜１＞内輪サポート
＜２＞固定金具
＜３＞ガイド
＜４＞フック
＜５＞ビニール袋
＜６＞ゴミ容器
【図１】
0003130050.tif 000003
【図２】
0003130050.tif 000004
【手続補正書】
【提出日】平成18年11月29日(2006.11.29)
【手続補正１】
【補正対象書類名】実用新案登録請求の範囲
【補正対象項目名】全文
【補正方法】変更
【補正の内容】
【実用新案登録請求の範囲】
【請求項１】
以下のＡ、Ｂ、Ｃを有することを特徴とする最後まで開口部が閉じないゴミ袋ホルダーサポート。
Ａ：４ヶ所に固定金具を取り付けた内輪サポート
Ｂ：前記内輪サポートの下部に設置されたゴミ容器から前記内輪サポートが落下するのを防止するための前記固定金具の４ヶ所に取り付けられたＬ型ガイド
Ｃ：ビニール袋の持ち手部を引っ掛けるための２ヶ所のフック
【手続補正２】
【補正対象書類名】明細書
【補正対象項目名】全文
【補正方法】変更
【補正の内容】
【考案の詳細な説明】
【技術分野】
【０００１】本考案は室内で利用する通常のゴミ容器の内側の上部に小売店で買い物を収納するために手渡されるビニール袋を設置してゴミ収集用として再利用する技術分野に属する。
【背景技術】
【０００２】従来の方法ではゴミ容器内にて、上記ビニール袋を手でぶら下げるための２ヶ所の持ち手部を固定している。
【特許文献】特開平７−１４４７０１
【考案の開示】
【考案が解決しようとする課題】
【０００３】上記方法ではビニール袋を持ち手部２ヶ所で固定しているため、ゴミが溜まりだすとゴミを入れる投入口が狭くなってしまい、ゴミが入りにくくなる問題がある。
【課題を解決するための手段】本実用新案は上記の課題を解決することを目的とした。その構成はゴミ容器の内側の上部に内輪サポートをはめ込んだものである。
即ち、以下のＡ、Ｂ、Ｃで示す構成からなることを特徴とする最後まで開口部が閉じないゴミ袋ホルダーサポートである。
Ａ：４ヶ所に金具を固定した内輪サポート
Ｂ：前記内輪サポートの下部に設置されたゴミ容器から前記内輪サポートが落下するのを防止するための前記固定金具の４ヶ所に取り付けられたＬ型ガイド
Ｃ：ゴミ袋の持ち手部を引っ掛けるための２ヶ所のフック
【考案の効果】
【０００４】ゴミ容器の内側の上部にビニール袋を取り付け、ビニール袋の４ヶ所を固定することにより、ビニール袋にゴミが溜まりだしてもゴミを入れる投入口が狭くなることはない。このため、ビニール袋が一杯になる最後まで再利用することが出来ると共に開口部を手で広げる必要は無く、利便性や衛生面でも優れた効果を上げることが出来る。
【考案を実施するための最良の形態】
【０００５】図１はホルダーサポートの断面図、図２はホルダーサポートの内輪サポート部の拡大図を示す。内輪サポート１はゴミ容器６の内側の上部に配置され、これの４ヶ所に固定金具２が取り付けられ、内輪サポート１はこれら４ヶ所の固定金具２に設置された４個のＬ型ガイド３と固定金具２の間にゴミ容器上縁部がはめ込まれ、落下するのが防止される。ゴミ容器６に小売店で買い物を収納するために手渡されるゴミ袋５をセッティングし、前記４ヶ所の固定金具の内２ヶ所に設置されたフック４にてビニール袋５の持ち手部（２ヶ所）を引っ掛けて固定し、更に前記フック４が設置されていない２ヶ所の固定金具２の上部にてビニール袋５の結び部（２ヶ所）を突き刺して固定し、これらによってゴミ容器６に内輪サポート１を介してビニール袋の４ヶ所を固定することにより、ゴミが溜まりだしても最後まで開口部が縮まらなくなる。
【図面の簡単な説明】
【０００６】
【図１】  最後まで開口部が閉じないゴミ袋ホルダーサポートの断面図
【図２】  最後まで開口部が閉じないゴミ袋ホルダーサポートの内輪サポート部の拡大図
【符号の説明】
【０００７】＜１＞内輪サポート
＜２＞固定金具
＜３＞Ｌ型ガイド
＜４＞フック
＜５＞ゴミ袋
＜６＞ゴミ容器